(57)【特許請求の範囲】
【請求項１】
コンクリート壁構造物の室内側に配設し、室外側に間隔を隔てて配設した他の型枠との間にコンクリートを打設し、養生硬化後のコンクリート壁の室内側に残す捨て型枠兼用パネルの施工方法であって、室内側床面上にパネルをそれの下端との嵌合により所定姿勢に保持するための姿勢保持部材として、パネルの下面を受ける水平部とパネルの厚み方向両側を挟持する一対の縦向き挟持部とを備え、前記室内側の縦向き挟持部と水平部との連結角部内面にパネル併設方向に沿う切り込みを形成したほぼＵの字形状の建て込み用レールからなる姿勢保持部材を固定し、この姿勢保持部材に複数のパネルの下端を嵌合して保持させることで該複数のパネルをコンクリート壁構造物の室内側にほぼ面一状で配置し、室外側にセパレータ等の間隔保持部材により前記パネルから所定間隔を隔てて他の型枠を配置し、これら型枠材兼用断熱性パネル及び他の型枠を縦桟木や角鋼管等からなる支保工材及び緊結材により固定した後、前記型枠材兼用断熱性パネルと他の型枠との間にコンクリートを打設し、養生硬化後において前記支保工材、緊結材、他の型枠を取り外して、前記型枠材兼用断熱性パネルを内装材として利用することを特徴とする型枠材兼用断熱性パネルの施工方法。
【請求項２】
前記建て込み用レールを構成する一対の縦向き挟持部のうちの室内側の縦向き挟持部の高さを室外側の縦向き挟持部の高さよりも低い寸法に構成してなる請求項１記載の型枠材兼用断熱性パネルの施工方法。
【請求項３】
前記パネルの上面を受ける水平部とパネルの厚み方向両側を挟持する一対の縦向き挟持部とを備え、前記併設されたパネルの上端に嵌合する、又は前記併設されて隣り合うパネルの上端同士に渡る程度の長さに構成した上部建て込みレールを設け、この上部建て込みレールを該隣り合うパネルの上端同士に渡って嵌合してなる請求項１又は２記載の型枠材兼用断熱性パネルの施工方法。
【請求項４】
前記パネルが、少なくともコンクリート壁の厚み方向両端に位置する無機質板と有機質板とを備え、それら２枚の板の間に発泡性合成樹脂を充填して発泡硬化させることにより、該２枚の板間に固着一体化した断熱層を形成してなる請求項１記載の型枠材兼用断熱性パネルの施工方法。
【請求項５】
前記２枚の板のうちの室内側に位置する板を準不燃又は準不燃ボードの無機質板とし、かつ、室外側に位置する板を中質繊維板としてなる請求項４記載の型枠材兼用断熱性パネルの施工方法。
【請求項６】
前記パネル併設方向で隣り合うパネル同士の対向端面間に室内側又は打設予定のコンクリート構造物側から差し込み可能な差し込み部と、この差し込み部の差し込み完了に伴って前記両パネルそれぞれの室内側表面又はコンクリート構造物側表面に接当してコンクリート打設時のコンクリート圧により該両パネルが室内側に移動することを阻止する接当部とからなる段違い防止部材を備えてなる請求項１記載の型枠材兼用断熱性パネルの施工方法。
【請求項７】
前記段違い防止部材が、前記パネルの上下寸法とほぼ同一寸法を有する平板状に形成された前記差し込み部と、この差し込み部の一端から差し込み方向と直交する方向に延出されて一体化されると共に前記隣り合う両パネルの室内側表面に面接当する該差し込み部の上下寸法とほぼ同一の平板状に形成された前記接当部とからなる平面視においてほぼＴ字状に形成されてなる請求項６記載の型枠材兼用断熱性パネルの施工方法。
【発明の詳細な説明】
【０００１】
【発明の属する技術分野】
本発明は、コンクリート壁構造物を構築する際に、室内側に配設し、緊結材室外側に間隔を隔てて配設した他の型枠との間にコンクリートを打設し、養生硬化後のコンクリート壁の室内側に残して内装材として利用できる型枠材兼用断熱性パネルの施工方法に関する。
【０００２】
【従来の技術】
上記型枠材兼用断熱性パネルを上記のように建築物の室内側に内装材として残すことによって、省エネルギー化を図ることができるだけでなく、内側型枠の取り外し作業を省略することができる利点があり、前記パネルが広く普及してきている。
そして、まず室内側に位置する前記パネルの配設位置の床に地墨を出し、その地墨の位置に複数枚のパネルをそれぞれ面一状に位置合わせしながら釘を用いてパネルの下端を仮止めした後、室外側に位置する型枠を配置してから、前記パネルと型枠とをセパレータ等の間隔保持部材により互いの間隔を所定の間隔に保持した状態で縦桟木や角鋼管等からなる支保工材及び緊結材により固定した後、コンクリートをパネルと型枠との間に流し込み、固化してから支保工材及び緊結材、外側の型枠を取り外すようにしている。
【０００３】
【発明が解決しようとする課題】
上記パネルは、木製や合成樹脂でなる型枠に比べて重量が嵩むものであるため、１枚のパネルに対して多数箇所の釘打ちを必要とすることになり、その仮止め作業に多大な労力を要するものであった。又、パネルを仮止めする際に隣り合うパネル同士が面一状態を維持するように慎重に作業しなければならないだけでなく、面一状に合わせて作業したにも係わらず、作業後においてパネルが面一状になっていない場合があり、再度木槌等によりパネルを面一状に合わせなければならず、前記不都合を顕著にするものであり、改善の余地があった。
【０００４】
本発明が前述の状況に鑑み、解決しようとするところは、パネルの仮止め作業を隣り合うパネルを面一状に維持した状態で容易迅速に行うことができる型枠材兼用断熱性パネルの施工方法を提供する点にある。
【０００５】
【課題を解決するための手段】
本発明は、前述の課題解決のために、コンクリート壁構造物の室内側に配設し、室外側に間隔を隔てて配設した他の型枠との間にコンクリートを打設し、養生硬化後のコンクリート壁の室内側に残す捨て型枠兼用パネルの施工方法であって、室内側床面上にパネルをそれの下端との嵌合により所定姿勢に保持するための姿勢保持部材として、パネルの下面を受ける水平部とパネルの厚み方向両側を挟持する一対の縦向き挟持部とを備え、前記室内側の縦向き挟持部と水平部との連結角部内面にパネル併設方向に沿う切り込みを形成したほぼＵの字形状の建て込み用レールからなる姿勢保持部材を固定し、この姿勢保持部材に複数のパネルの下端を嵌合して保持させることで該複数のパネルをコンクリート壁構造物の室内側にほぼ面一状で配置し、室外側にセパレータ等の間隔保持部材により前記パネルから所定間隔を隔てて他の型枠を配置し、これら型枠材兼用断熱性パネル及び他の型枠を縦桟木や角鋼管等からなる支保工材及び緊結材により固定した後、前記型枠材兼用断熱性パネルと他の型枠との間にコンクリートを打設し、養生硬化後において前記支保工材、緊結材、他の型枠を取り外して、前記型枠材兼用断熱性パネルを内装材として利用することを特徴としている。
型枠材兼用断熱性パネルを施工する場合には、まず施工する位置に姿勢保持部材を釘等を用いて固定する。この固定された姿勢保持部材に型枠材兼用断熱性パネルの下端を嵌合して保持させる。引き続いて前記のように他の型枠材兼用断熱性パネルの下端を順次姿勢保持部材に嵌合して保持させて隣り合う型枠材兼用断熱性パネルを面一状で仮止めすることができる。前記姿勢保持部材にて嵌合保持させた型枠材兼用断熱性パネルをより一層安定よく仮止めしておくために場合によっては、該パネルの背面を鉄筋に軟鋼鉄線を用いて緊結してもよい。前記型枠材兼用断熱性パネルの仮止めが完了した後は、上記のように室外側にセパレータ等の間隔保持部材により前記パネルから所定間隔を隔てて他の型枠を配置し、これら型枠材兼用断熱性パネル及び他の型枠を縦桟木や角鋼管等からなる支保工材及び緊結材により固定した後、前記型枠材兼用断熱性パネルと他の型枠との間にコンクリートを打設し、養生硬化後において前記支保工材、緊結材、他の型枠を取り外して、型枠材兼用断熱性パネルの施工が完了するのである。
【０００６】
また、前記姿勢保持部材を、パネルの下面を受ける水平部とパネルの厚み方向両側を挟持する一対の縦向き挟持部とを備えたほぼＵの字形状の建て込み用レールから構成しているので、大量生産に適している。しかも、前記室内側の縦向き挟持部と水平部との連結角部内面にパネル併設方向に沿う切り込みを形成しているので、型枠材兼用断熱性パネルの施工完了後において切り込みに沿って縦向き挟持部を水平部から分離させることができる。
【０００７】
前記建て込み用レールを構成する一対の縦向き挟持部のうちの室内側の縦向き挟持部の高さを室外側の縦向き挟持部の高さよりも低い寸法に構成することによって、室内側において上方に出っ張った出っ張り部分を少なくすることができるから、その出っ張り部分を除去しなくても、内装が大きく阻害されることがない。
【０００９】
前記パネルの上面を受ける水平部とパネルの厚み方向両側を挟持する一対の縦向き挟持部とを備え、前記併設されたパネルの上端に嵌合する、又は前記併設されて隣り合うパネルの上端同士に渡る程度の長さに構成した上部建て込みレールを設け、この上部建て込みレールを該隣り合うパネルの上端同士に渡って嵌合することによって、隣り合うパネル同士が互いに面方向で位置ずれし難いものにすることができる。
【００１０】
前記パネルが、少なくともコンクリート壁の厚み方向両端に位置する無機質板と有機質板とを備え、それら２枚の板の間に発泡性合成樹脂を充填して発泡硬化させることにより、該２枚の板間に固着一体化した断熱層を形成している。
【００１１】
前記２枚の板のうちの室内側に位置する板を準不燃又は準不燃ボードの無機質板とし、かつ、室外側に位置する板を中質繊維板で構成することによって、コンクリートをパネルと型枠との間に打設する時に発生する側圧によって無機質板が波を打つ等の変形を起こすことがなく、コンクリート打設後に無機質板の壁面を平らにする等の処理を行うことを不要にし、壁紙やクロス等の化粧材を無機質板の壁面に直接貼り付けることができる。前記無機質板としては、木毛セメントボード、石膏ボード等があり、又、不燃ボードとしては、コンクリート、れんが、瓦、石綿スレート、鉄鋼、アルミニューム、ガラス、モルタル、漆喰等があり、どのボードも、コンクリートをパネルと型枠との間に打設する時に発生する側圧によって準不燃又は不燃ボードが波を打つ等の変形を起こすことがないものである。
【００１２】
前記パネル併設方向で隣り合うパネル同士の対向端面間に室内側又は打設予定のコンクリート構造物側から差し込み可能な差し込み部と、この差し込み部の差し込み完了に伴って前記両パネルそれぞれの室内側表面又はコンクリート構造物側表面に接当してコンクリート打設時のコンクリート圧により該両パネルが室内側に移動することを阻止する接当部とからなる段違い防止部材を備えている。
上記のように段違い防止部材を隣り合うパネル同士の対向端面間に差し込んでおくだけで、コンクリート打設時のコンクリート圧により両パネルの一部が室内側に突出することを段違い防止部材の接当部にて接当阻止することにより、両パネルの室内側表面が段違いになることを阻止することができる。前記段違い防止部材を打設予定のコンクリート構造物側からパネル併設方向で隣り合うパネル同士の対向端面間に差し込んでおけば、コンクリートを打設した後、段違い防止部材を取り外すことが不要になるだけでなく、コンクリートの水分が併設されるパネル同士の対向端面同士の隙間に入り込むことを阻止することができる止水部材として機能させることができる。前記接当部に止水テープを設けておけば、前記止水効果を更に高めることができる利点がある。
【００１３】
前記段違い防止部材が、前記パネルの上下寸法とほぼ同一寸法を有する平板状に形成された前記差し込み部と、この差し込み部の一端から差し込み方向と直交する方向に延出されて一体化されると共に前記隣り合う両パネルの室内側表面に面接当する該差し込み部の上下寸法とほぼ同一の平板状に形成された前記接当部とからなる平面視においてほぼＴ字状に形成されている。
【００１４】
【発明の実施の形態】
図１に、室内側に内装材として利用するためのほぼ長方形状の型枠材兼用断熱性パネル１（以下パネルという）の複数枚を面一状に仮止めした状態を示しており、各パネル１は、２枚の無機質板２，３とこれら無機質板２，３の間に位置する硬質ウレタン等でなる断熱層４とを備えた３層構造に構成しているが、４層構造にしてもよいし、又、５層以上に構成してもよい。
【００１５】
前記パネル１の大きさは、例えば長辺短辺が１８２０ｍｍ×９１０ｍｍ（この９１０ｍｍは無機質板２，３の左右の幅寸法である）で、厚さが４２．２ｍｍである。尚、前記一方の無機質板２の厚さが２．７ｍｍ、他方の無機質板３の厚さが９．５ｍｍ、前記断熱層４の厚さが３０ｍｍであるが、本発明は、前記寸法に限定されるものではない。
【００１６】
前記無機質板２，３としては、ベニア板、硬質板紙、硬質性合成樹脂板、石膏ボード、ロックウール板、石綿スレート板、石綿セメント珪酸カルシウム板等が使用可能であるが、例えば、図４（ａ），（ｂ）で示すコンクリート壁５側の無機質板２として、前記ベニア板、硬質板紙、硬質性合成樹脂板等の軽量な板を用いることによって、パネル１全体の重量増大を抑制することができるようにしている。そして、前記ベニア板、硬質板紙でなる無機質板２のコンクリート側表面２Ａ（図３参照）を、凹凸状の表面部を有するエンボスフィルム（図示せず）にて覆っておくことによって、コンクリートが養生硬化するまでに出る水分が無機質板２に染み込むことをエンボスフィルムによって抑制することができながらも、フィルムの表面部の凹凸によりコンクリートとの接触面積を増大させることができるようにしてもよい。尚、前記無機質板２の表面２Ａに前記フィルムを貼ることでコンクリートが養生硬化するまでに出る水分が無機質板２に染み込むことを抑制できるのであるが、無機質板２の外周面２Ｂ（図３参照）にも前記フィルムを貼っておくことによって、コンクリートが養生硬化するまでに出る水分が無機質板２に染み込むことをより一層確実に回避することができるようにしてもよい。前記無機質板２に貼るフィルム面をコロナ放電処理しておくことによって、接着力を高めることができる。又、前記ベニア板、硬質板紙のコンクリート側表面に炭カル紙等を貼り付けておくことによって、コンクリートとの接着性能を向上させるようにしてもよい。前記炭カル紙は、炭酸カルシウム・パルプ・ガラス混合抄紙（セルロース系パルプを主体とした繊維状物と炭酸カルシウム等の無機粉体とを混合し、抄紙にした無機質紙）である。前記室外側に位置する無機質板２を、有機質板であるＭＤＦ（中質繊維板）を用いて実施してもよい。
【００１７】
又、前記室内側に位置する無機質板３は、準不燃材料や不燃材料である前記石膏ボード、ロックウール板、石綿スレート板、石綿セメント、珪酸カルシウム板等を用いることによって、前記コンクリート壁５側の無機質板２よりも強度的に優れたものにすることができ、パネル１全体の強度を高めることができるだけでなく、前記構成の無機質板３の平らな表面に化粧仕上げとして壁紙やクロスを貼ったり、無機質板３の表面３Ａ（図３参照）を直接塗装仕上げすることができる。前記準不燃材料としては、前記したものの他、例えば石膏ボード等の２枚の耐火材間に芯材層としての発泡層や合成樹脂層等を介在させた複合板であってもよい。又、前記無機質板３の表面３Ａに、ストレートフィルム（図示せず）を貼り付けておくことによって、配設されたパネル１同士の隙間等から浸入してくる水分等を表面の前記フィルムにて遮断することができるだけでなく、フィルム表面に出てくるのろを簡単に拭き取ることができるようにしている。前記無機質板３の表面３Ａだけでなく、無機質板３の外周面３Ｂ（図３参照）の他、断熱層４の外周面にまで延出されたフィルムにより無機質板３への水分の浸入を完全に阻止することができるようにしてもよい。前記無機質板３に貼るフィルム面（表面３Ａ）を前記同様にコロナ放電処理しておくことによって、接着力を高めることができる。
【００１８】
前記のように構成されたパネル１をコンクリート壁構造物の内側に配設して、内装材として利用するためのパネル１の施工方法について説明すれば、図２及び図３に示すように、室内側床面上にパネル１をそれの下端との嵌合により所定姿勢に保持するための姿勢保持部材６を複数の釘等により固定し、図１に示すように、前記姿勢保持部材６に複数のパネル１の下端を嵌合（内嵌）して保持させることで該複数のパネル１を打設養生後に形成されるコンクリート壁構造物の室内側にほぼ面一状で仮止めすることができる。尚、仮止め時にパネルの背面を必要に応じて、鉄筋に軟鋼鉄線を用いて緊結しておいてもよい。次に、室外側にセパレータ等の間隔保持部材７（図４（ａ）参照）により前記パネル１から所定間隔を隔てて他の型枠８を配置し、これら型枠材兼用断熱性パネル１及び他の型枠８を縦桟木９や角鋼管１０等からなる支保工材１１及びフォームタイ等からなる緊結材１２により固定（図４（ａ）参照）した後、前記型枠材兼用断熱性パネル１と他の型枠８との間にコンクリートを打設し、養生硬化後において、図４（ａ）に示すように前記支保工材１１、緊結材１２、他の型枠８を取り外して、図４（ｂ）に示すように、パネル１を内装材として利用できるように構成している。図１〜図３に示す１３は、後述の建て込みレール（前記姿勢保持部材６）を前記併設されて隣り合うパネル１，１の上端同士に渡る程度の長さに構成された短寸法の建て込みレールであり、その建て込みレール１３を該隣り合うパネル１，１の上端同士に渡って嵌合することによって、隣り合うパネル１，１同士が互いに面方向で位置ずれし難いものにすることができるように構成しているが、取扱上において不利になるが、前記姿勢保持部材６と同一の長尺なものであってもよいし、又、別の形状のものであってもよい。又、前記建て込みレール１３を用いない場合でもよい。又、前記縦桟木９、角鋼管１０、フォームタイ等の形状及び具体構成は、図に示す構成に限定されるものではない。
【００１９】
前記隣り合うパネル１，１同士が互いに面方向で位置ずれし難いものにすることができるように建て込みレール１３を該隣り合うパネル１，１の上端同士に渡って嵌合する他、図６〜図８に示すように、パネル併設方向で隣り合うパネル１，１同士の対向端面間に平面視においてほぼＴ字状の段違い防止部材１４を室内側から差し込むことによって、コンクリート打設時のコンクリート圧により両パネル１，１のパネル併設方向両端部室内側表面のパネル上下方向どの部位においても室内側に移動することを確実に阻止することができるようにしてもよい。
前記段違い防止部材１４は、前記パネル１の上下寸法とほぼ同一寸法を有する平板状に形成された差し込み部１４Ａと、この差し込み部１４Ａの一端から差し込み方向と直交する方向に延出されて一体化されると共に前記隣り合う両パネル１，１の室内側表面に面接当する差し込み部１４Ａの上下寸法とほぼ同一の平板状に形成された接当部１４Ｂとからなっているが、他の形状であってもよい。従って、図６及び図８に示すように、段違い防止部材１４をパネル併設方向で隣り合うパネル１，１同士の対向端面間に室内側から差し込むことによって、接当部１４Ｂの内面と前記パネル１，１のパネル併設方向両端部表面に上下方向全域に渡って接当した状態になり、パネル１，１同士が段違いとなることを防止することができる。前記段違い防止部材１４が打設時のコンクリートの一部がパネル１，１同士間の隙間を通して入り込むことになるが、入り込んできたコンクリート圧は小さなものであり、段違い防止部材１４が外れるようなことはない。尚、図８に示す１４Ｃ，１４Ｃは、前記パネル１，１の併設方向両端の室内側角部を面取りしている部分３Ｔ，３Ｔが存在するため、両パネル１，１同士間に大きな隙間が発生する。このため、その隙間を埋めるために膨出させた膨出部である。そして、コンクリートの打設後において前記段違い防止部材１４を引き抜いた後、パネル１，１間に発生する隙間にパテ等の充填材を充填すると共にパネル１，１の両端部同士間に前記面取りによる凹部が発生することなく、面一状態になるように室内側角部にもパテ等の充填材を充填している。
【００２０】
図６〜図８では、前記段違い防止部材１４を室内側からパネル併設方向で隣り合うパネル１，１同士の対向端面間に差し込む場合を示したが、図９に示すように、打設予定のコンクリート構造物側（コンクリート壁５側）から差し込む場合でもよい。この場合、図８に示した段違い防止部材１４で必要であった前記膨出部１４Ｃ，１４Ｃは、不要になる。従って、図９に示すように段違い防止部材１４を差し込むことによって、コンクリート打設後に前述のように取り外すことが不要になるだけでなく、コンクリートの水分が併設されるパネル１，１同士の対向端面同士の隙間に入り込むことを阻止することができる止水部材として機能させることができる。
図１０に示すように、前記段違い防止部材１４の接当部１４Ｂの差し込み部１４Ａを挟んで両側に位置する２つの表面に止水テープ１５，１５を貼り付けておくことによって、前記止水機能を更に高めることができる利点がある。前記止水テープ１５を接当部１４Ｂに接着剤により固定する場合には、止水テープ１５をそれの片面に接着剤層を予め備えさせたもので構成したり、接着剤を止水テープ１５又は接当部１４Ｂに直接塗布することになる。又、前記段違い防止部材１４の接当部１４Ｂのパネル併設方向の寸法を図８のものに比べて大きくしてパネル１との接当面積を大きくすることができ、より一層パネルが段違いになることを阻止することができるだけでなく、前記止水効果を更に高めることができる利点がある。前記段違い防止部材１４の差し込み部１４Ａの差し込み方向の寸法は、差し込んだ状態においてパネル１の室内側表面から突出しない寸法であればどのような寸法であってもよい。尚、前述と同様にパネル１，１の両端部同士間に前記面取りによる凹部が発生することなく、面一状態になるように室内側角部にパテ等の充填材を充填することになる。前記段違い防止部材１４は、難燃性ポリエチレン、ＡＢＳ樹脂、塩ビ等の各種合成樹脂を用いる他、金属等の他の材料であってもよい。
【００２１】
前記姿勢保持部材６は、合成樹脂で形成することによって、軽量化を図ることができるが、金属等で形成することもできる。又、前記姿勢保持部材６は、図３に示すように、パネルの下面を受ける板状（厚み約１０ｍｍ）の水平部６Ａとパネルの厚み方向両側を隙間の無い状態で挟持する一対の板状（厚み約１０ｍｍ）の縦向き（上向き）挟持部６Ｂ，６Ｃとを備えたほぼＵの字形状の建て込み用レールから構成している。そして、前記一対の縦向き挟持部６Ｂ，６Ｃのうちの室内側の縦向き挟持部６Ｃの高さ（約１０ｍｍ）を室外側の縦向き挟持部６Ｂの高さ（約５０ｍｍ）よりも低い寸法に構成している。又、前記室内側の縦向き挟持部６Ｃと水平部６Ａとの連結角部内面にパネル併設方向に沿う切り込み６Ｍを形成してあり、型枠材兼用断熱性パネル１の施工完了後において切り込み６Ｍに沿って縦向き挟持部６Ｃを水平部６Ａから分離させることができるようにしている。
図３に示す前記短寸法の建て込みレール１３も、同様にパネルの上面を受ける板状（厚み約１０ｍｍ）の水平部１３Ａとパネルの厚み方向両側を挟持する一対の板状（厚み約１０ｍｍ）の縦向き（下向き）挟持部１３Ｂ，１３Ｃとを備えたほぼＵの字形状に構成することによって、製造コスト面において有利になるが、他の形状のものでもよい。
【００２２】
図１では、前記姿勢保持部材６が全てのパネル１それぞれの下端全部に嵌合する長尺な寸法に構成することによって、パネル１との嵌合を確実に行うことができるが、図５（ａ）に示すように、パネル１の併設方向、つまり姿勢保持部材６の長手方向においてその方向と直交する方向において位置をずらせた状態で多数の切欠き部６Ｋを形成し、その切欠き６Ｋの両側に多数の縦向き挟持部６Ｂ又は６Ｃを立設したものから構成してもよい。又、図５（ｂ）に示すように、パネル１の厚み方向両側に形成された水平部６Ａ，６Ａと、下端が開放された門型の本体部６Ｄとから前記姿勢保持部材６を構成してもよい。この場合、パネル１の下端の断熱層４内に前記本体部６Ｄが入り込むための凹部４Ｂを形成しておくことになる。又、図５（ｃ）に示すように前記水平部６Ａに対して縦向き挟持部６Ｂ，６Ｃの間隔を、パネル１の断熱層４に形成された一対の溝４Ｍ，４Ｍに入り込むように設定したもので姿勢保持部材６を構成してもよい。図５（ａ），（ｂ）の姿勢保持部材６の場合には、パネル１の下端の断熱層４の形状を変更する必要があるが、図５（ｂ）に示すように、パネル１の無機質板３の厚みＬ２に対して水平部６Ａの寸法Ｌ１を同一又は小さくしておけば、室内側に水平部６Ａが露出することがない利点がある。又、図５（ｃ）では、パネル１の無機質板３の厚みＬ４に対して水平部６Ａの端部寸法Ｌ３を同一又は小さくしておけば、室内側に水平部６Ａが露出することがないのである。
【００２３】
前記断熱層４を構成する発泡性合成樹脂としては、ポリスチレンフォーム、ポリエチレンフォーム、硬質ポリウレタンフォーム、軟質ポリウレタンフォーム、硬質塩化ビニルフォーム、ユリアフォーム、フェノールフォーム、アクリルフォーム、酢酸セルロースフォーム、その他のプラスチックフォーム等があるが、これらに限定されるものではない。
【００２４】
【発明の効果】
請求項１の発明によれば、姿勢保持部材を室内側床面に固定しておくことによって、この姿勢保持部材に複数のパネルの下端を嵌合させるだけで、仮止め作業を完了させることができ、従来のように位置合わせしながら複数のパネルを仮止めするものに比べて仮止め作業を容易迅速に行うことができる型枠材兼用断熱性パネルの施工方法を提供することができる。又、前記姿勢保持部材にて嵌合保持させた型枠材兼用断熱性パネルの背面を、鉄筋に軟鋼鉄線を用いて緊結しておくだけで、パネルをより一層安定よく仮止めすることができる。更に、姿勢保持部材を、パネルの下面を受ける水平部とパネルの厚み方向両側を挟持する一対の縦向き挟持部とを備えた単純な形状、つまりほぼＵの字形状の建て込み用レールから構成しているので、製造コスト面において有利になるだけでなく、パネルに何ら改良を加えることなく、建て込み用レールに嵌合させることができ、パネルの設計の自由度を高めることができる。しかも、室内側の縦向き挟持部と水平部との連結角部内面にパネル併設方向に沿う切り込みを形成しているので、型枠材兼用断熱性パネルの施工完了後において切り込みに沿って縦向き挟持部を水平部から分離させることができるから、パネルの室内面を上下全域に渡ってフラットにすることができる。
【００２６】
請求項２の発明によれば、建て込み用レールを構成する一対の縦向き挟持部のうちの室内側の縦向き挟持部の高さを室外側の縦向き挟持部の高さよりも低い寸法に構成することによって、室内側において上方に出っ張った出っ張り部分を少なくすることができるから、その出っ張り部分を除去しなくても、内装が大きく阻害されることがなく、縦向き挟持部の除去作業の無い分、作業の簡略化を図ることができる。
【００２８】
請求項３の発明によれば、前記パネルの上面を受ける水平部とパネルの厚み方向両側を挟持する一対の縦向き挟持部とを備え、併設されたパネルの上端に嵌合する、又は併設されて隣り合うパネルの上端同士に渡る程度の長さに構成した上部建て込みレールを設け、この上部建て込みレールを隣り合うパネルの上端同士に渡って嵌合することによって、隣り合うパネル同士が互いに面方向で位置ずれし難いものにすることができ、更に施工面において有利になる。
【００２９】
請求項４の発明によれば、２枚の板のうちの室内側に位置する板を準不燃又は準不燃ボードの無機質板とし、かつ、室外側に位置する板を中質繊維板で構成することによって、コンクリートをパネルと型枠との間に打設する時に発生する側圧によって無機質板が波を打つ等の変形を起こすことがなく、コンクリート打設後に無機質板の壁面を平らにする等の処理を行うことを不要にし、壁紙やクロス等の化粧材を無機質板の壁面に直接貼り付けることができ、施工作業工程の簡略化を図ることによる工期の短縮化を図ることができる。
【００３０】
請求項５の発明によれば、段違い防止部材を隣り合うパネル同士の対向端面間に差し込んでおくだけで、コンクリート打設時のコンクリート圧により両パネルの一部が室内側に突出することを段違い防止部材の接当部にて接当阻止することにより、両パネルの室内側表面が段違いになることを阻止することができ、段違いとなったパネル同士面を面一状にする仕上げ処理が不要になり、施工面において有利になる。段違い防止部材を打設予定のコンクリート構造物側からパネル併設方向で隣り合うパネル同士の対向端面間に差し込んでおけば、コンクリートを打設した後、段違い防止部材を取り外すことが不要になり、施工面において更に有利になるだけでなく、コンクリートの水分が併設されるパネル同士の対向端面同士の隙間に入り込むことを阻止することができる止水部材として機能させることができる利点がある。前記接当部に止水テープを設けておけば、前記止水効果を更に高めることができる利点がある。前記コンクリート圧を段違い防止部材が受ければ受けるほどパネル面を面一状態に矯正することもできる。
【００３１】
請求項６の発明によれば、段違い防止部材が、パネルの上下寸法とほぼ同一寸法を有する平板状に形成された差し込み部と、この差し込み部の一端から差し込み方向と直交する方向に延出されて一体化されると共に隣り合う両パネルの室内側表面に面接当する差し込み部の上下寸法とほぼ同一の平板状に形成された接当部とからなる平面視においてほぼＴ字状に形成することによって、パネルの室内側表面又はコンクリート構造物側表面の上下方向全域に渡って接当部を接当作用させることによって、パネルの前後方向どの部位においてもパネルが段違いになることを確実に阻止することができる利点がある。
【図面の簡単な説明】
【図１】複数枚のパネルを面一状態で仮止めされた状態を示す斜視図である。
【図２】姿勢保持部材にパネルを嵌合させる直前の状態を示す斜視図である。
【図３】姿勢保持部材にパネルを嵌合させる直前の状態を示す一部断面にした側面図である。
【図４】（ａ）は、支保工材及び緊結材にて型枠を固定した後、コンクリートを流し込み養生硬化させた状態を示す縦断面図であり、（ｂ）は、支保工材、緊結材、一方の型枠を取り外した状態を示す縦断面図である。
【図５】（ａ），（ｂ），（ｃ）は、姿勢保持部材の一部省略の斜視図である。
【図６】段違い防止部材を差し込んで複数枚のパネルを面一状態で仮止めされた状態を示す斜視図である。
【図７】段違い防止部材を差し込む直前の状態を示すパネルの斜視図である。
【図８】段違い防止部材を室内側から差し込んでコンクリートを打設した後の状態を示す断面図である。
【図９】異なる段違い防止部材を室外側から差し込んでコンクリートを打設した後の状態を示す断面図である。
【図１０】止水テープを取り付けた段違い防止部材を室外側から差し込んでコンクリートを打設した後の状態を示す断面図である。
【符号の説明】
１  パネル          ２  無機質板
２Ａ  表面          ２Ｂ  外周面
３  無機質板        ３Ａ  表面
３Ｂ  外周面        ４  断熱層
４Ａ  外周面        ４Ｂ  凹部
５  コンクリート壁
６  姿勢保持部材（建て込みレール）
６Ａ  水平部        ６Ｂ，６Ｃ  縦向き挟持部
６Ｄ  本体部        ６Ｋ  切欠き部
６Ｍ  切り込み      ７  間隔保持部材
８  型枠            ９  縦桟木
１０  角鋼管        １１  支保工材
１２  緊結材        １３  建て込みレール
１３Ａ  水平部      １３Ｂ，１３Ｃ  縦向き挟持部
１４  段違い防止部材
１４Ａ  差し込み部  １４Ｂ  接当部
１４Ｃ  膨出部      １５  止水テープ
【図１】
0004738642.tif 000002
【図２】
0004738642.tif 000003
【図３】
0004738642.tif 000004
【図４】
0004738642.tif 000005
【図５】
0004738642.tif 000006
【図６】
0004738642.tif 000007
【図７】
0004738642.tif 000008
【図８】
0004738642.tif 000009
【図９】
0004738642.tif 000010
【図１０】
0004738642.tif 000011